(57)【要約】  本発明は、流体製品を供給するためのデバイス(10)であって、垂直主軸を有する剛性円筒状本体(12)と、本質的に水平方向に配向され本体(12)内部において垂直方向に摺動し得る剛性ピストン(14)と、本体(12)の上方端部を閉じる上方抽出壁部(24)とを備える、デバイス(10)に関する。本発明によれば、本体(12)、ピストン(14)、および上方壁部(24)は、供給されることになる製品で充填されるように意図された空間(26)を画定する。さらに、上方壁部(24)は、空間(26)を外部に連通させるために開かれ得るスロット付きカバー(28)を備える。デバイスは、上方壁部(24)が弾性的に変形可能であり、圧力が上方壁部(24)に対して手動により印加された場合に空間(26)内へと変形することにより、空間(26)内部の圧力を上昇させスロット付きカバー(28)を開かせることが可能であることを特徴とする。
2019517442.tif 000002
【特許請求の範囲】
【請求項１】
流体製品を供給するための供給デバイス(10)であって、垂直方向に配向された主軸を有する剛性の円筒状の本体(12)と、主として水平方向に配向され前記本体(12)内部において垂直方向に沿って摺動的に可動である剛性のピストン(14)と、前記本体(12)の上方端部を塞ぐ上方サンプリング壁部(24)とを備え、
前記本体(12)、前記ピストン(14)、および前記上方サンプリング壁部(24)は、供給されることになる製品により充填されるための体積(26)を画定し、
前記上方サンプリング壁部(24)は、前記体積(26)が外部に連通され得るように開かれ得るスリットストッパ(28)を備える、供給デバイス(10)において、
前記上方サンプリング壁部(24)は、弾性的に変形可能であり、圧力が前記上方サンプリング壁部(24)に対して手動により印加された場合に前記体積(26)の内方に変形されることにより、前記体積(26)内部の前記圧力を上昇させ前記スリットストッパ(28)を開かせることが可能であることを特徴とする、供給デバイス(10)。
【請求項２】
圧力が前記上方サンプリング壁部(24)に対して印加された場合に、前記ピストン(14)が前記上方サンプリング壁部(24)から離れるように移動するのを防止するための手段(32)を備えることを特徴とする、請求項1に記載の供給デバイス(10)。
【請求項３】
前記ピストン(14)は、前記本体(12)の内方円筒状壁部(18)と前記ピストン(14)の壁部(66)との間において径方向に圧縮されるOリング(20)を支え、前記ピストン(14)の前記壁部(66)は、前記上方サンプリング壁部(24)中に開口した円錐形状セグメント(70)を備え、前記ピストンが前記上方サンプリング壁部(24)から離れるように移動するように駆動された場合に前記Oリング(20)が前記円錐形状セグメント(70)に圧接することを特徴とする、請求項2に記載の供給デバイス(10)。
【請求項４】
前記上方サンプリング壁部(24)まで前記ピストン(14)を移動的に駆動するための駆動手段(32)を備えることを特徴とする、請求項2または3に記載の供給デバイス(10)。
【請求項５】
前記駆動手段は、前記ピストン(14)と前記本体(12)の下方端部(12i)に装着された底部プレート(34)との間において垂直方向に圧縮されるばね(32)を備えることを特徴とする、請求項4に記載の供給デバイス(10)。
【請求項６】
流体製品を供給するための供給デバイス(10)であって、垂直方向に配向された主軸を有する剛性の円筒状の本体(12)と、主として水平方向に配向され前記本体(12)内部において垂直方向に沿って摺動的に可動である剛性のピストン(14)と、前記本体(12)の上方端部を塞ぐ上方サンプリング壁部(24)とを備え、
前記本体(12)、前記ピストン(14)、および前記上方サンプリング壁部(24)は、供給されることになる製品により充填されるための体積(26)を画定し、
前記上方サンプリング壁部(24)は、前記体積(26)が外部に連通され得るように開かれ得るスリットストッパ(28)を備え、
前記上方サンプリング壁部(24)は、弾性的に変形可能であり、圧力が前記上方サンプリング壁部(24)に対して手動により印加された場合に前記体積(26)の内方に変形されることにより、前記体積(26)内部の前記圧力を上昇させ前記スリットストッパ(28)を開かせることが可能である、供給デバイス(10)において、
圧力が前記上方サンプリング壁部(24)に対して印加された場合に、前記ピストン(14)が前記上方サンプリング壁部(24)から離れるように移動するのを防止するために、前記ピストン(14)と前記本体(12)の下方端部(12i)に装着された底部プレート(34)との間において垂直方向に圧縮されるばね(32)を備えることを特徴とする、供給デバイス(10)。
【請求項７】
前記底部プレート(34)は、前記本体(12)、前記ピストン(14)、および前記底部プレート(34)により画定された体積(42)を外部に連通させるベント(40)を備えることを特徴とする、請求項5または6に記載の供給デバイス(10)。
【請求項８】
前記ピストン(14)は、前記上方サンプリング壁部(24)の下方面(50)に面している上方面を備え、前記ピストン(14)の前記上方面の形状が、前記上方サンプリング壁部(24)の前記下方面(50)の形状と相補的であることとを特徴とする、請求項1から7のいずれか一項に記載の供給デバイス(10)。
【請求項９】
前記上方サンプリング壁部(24)は、上方膨出した凸状ドーム形状のものであることを特徴とする、請求項1から8のいずれか一項に記載の供給デバイス(10)。
【請求項１０】
前記上方サンプリング壁部(24)を覆うための取外し可能な蓋(56)であって、前記本体(12)の上方端部(12s)に取外し可能に取り付けられる取外し可能な蓋(56)を備えることを特徴とする、請求項1から9のいずれか一項に記載の供給デバイス(10)。
【請求項１１】
前記蓋(56)の形状が、前記上方サンプリング壁部(24)の形状と相補的であり、前記蓋(56)は、前記蓋が前記本体(12)の前記上方端部(12s)に取り付けられた場合に前記上方サンプリング壁部(24)の少なくとも一部に接触する殺菌性材料の層(64)を備えることを特徴とする、請求項10に記載の供給デバイス(10)。
【請求項１２】
前記本体(12)の前記上方端部(12s)は、前記上方サンプリング壁部(24)と相補的な部分(46)を受ける外縁溝(44)を備えることを特徴とする、請求項1から11のいずれか一項に記載の供給デバイス(10)。
【発明の詳細な説明】
【技術分野】
【０００１】
本発明は、収容された流体の空気酸化を防止し、例えば酵母の発生および細菌汚染からこの流体を保護するための流体供給デバイスに関する。
【０００２】
詳細には、本発明は、剛性容器内に収容される化粧品産業、化学産業、製薬産業、または食品産業用のクリーム、ペースト、ゲル、または液体を供給するためのデバイスに関する。
【０００３】
本発明は、製品の保存および保護を目的として製品に組み込まれる添加物の種類および量を削減することを目的とする。かかる添加物の削減は、保健医療機関および消費者による取組みから端を発している。
【背景技術】
【０００４】
ペーストまたは液体の形態を有する多数の製品が、これらの製品の保護および供給の両方を可能にする容器内に収容される。
【０００５】
かかる容器は、特に製品の酸化リスクを限定するために気密封止される。
【０００６】
したがって、例えば抗酸化性化合物、殺菌性化合物、または抗真菌性化合物などの多数の保存性化合物が、製品に組み込まれる。かかる化合物は、製品の基本調合物の作用に間接的にのみ関与するか、または関与しない。
【０００７】
したがって、製品に対する汚染リスクが、この容器を使用した製品の供給時に発生する。
【０００８】
容器は、一般的にはサンプリング外部表面を備え、この表面上には、容器の内部体積を外部に連通させる供給ポートが開口する。
【０００９】
製品のサンプリング処置は、例えばこのサンプリング表面上における指の拭取り動作によってなど、同サンプリング表面上においてなされる。それにより、サンプリング表面上に多数の外部汚染物が蓄積され、容器の内部体積内に収容された製品の残りの汚染リスクが生じる。
【００１０】
供給ポートが継続的に開口状態にあるチューブの場合におけるこの実際の汚染リスクは、大きな開口面積を有するジャーの場合には重大なリスクとなる。
【００１１】
文献FR-3.011.826は、かかる容器に組み付けられ、サンプリング面上に存在する可能性がある汚染物と、製品サンプリング動作の最中またはその終了時における容器の内部体積への空気の進入とを防止するスリットストッパについて記載している。
【００１２】
このプラグは、剛性壁部を有するジャーに取り付けられることが可能であり、ジャーの底部を形成する壁部は、ユーザの動作下において他の壁部に対して可動であるまたは移動され得る。このユーザの動作は、容器内における製品の圧力の上昇を生じさせ、その結果としてスリットストッパが開口し、規定量の製品が出力される。
【００１３】
可動壁部の移動により、サンプリングされた製品体積が埋め合わされ得る。しかし、この供給デバイスを使用する場合に、ユーザは自身の手を用いて容器をつかまなければならず、これは人間工学的に効率が悪い。
【００１４】
別の実施形態によれば、剛性ジャーの可動壁部は上方壁部であり、その上方壁部上にはスリットストッパが配置される。
【００１５】
この実施形態により、ユーザは、製品をサンプリングするために使用した指と同じ指を用いて、圧力上昇を生じさせるために可動壁部に対して作用を与えることが可能となる。
【００１６】
それにより、この供給デバイスの使用は、底部が可動である供給デバイスに比べて改善される。
【００１７】
しかし、製品がサンプリングされるにつれて、可動上方壁部はデバイス内へとますます押し下げられ、これによってサンプリングの容易さが徐々に低くなる。
【００１８】
別のタイプの供給デバイスによれば、これは、剛性壁部および小型供給ポンプを有する容器を備える。このポンプもまた、空気が容器の内部体積内に進入することを防止し、これを目的として、サンプリングされる製品体積を埋め合わせるために供給するごとに引き上げられる可動ピストンを備える。
【００１９】
このポンプは、種々の特性を有する多数の構成要素からなる。したがって、このポンプの製造コストは低くはなく、そのため結果として供給デバイスの販売価格が高くなる。
【００２０】
さらに、このポンプにより抽出された製品は、ユーザがこの供給デバイスを一方の手で保持した状態において、ユーザによって他方の手で迅速にサンプリングされなければならない。そのため、この供給デバイスの使用は容易ではない。
【先行技術文献】
【特許文献】
【００２１】
【特許文献１】FR-3.011.826
【特許文献２】FR-1.359.844
【発明の概要】
【発明が解決しようとする課題】
【００２２】
本発明の目的は、容器からある量の製品を出力することと、この量の製品をサンプリングすることとの両方のために、片手で取り扱うことが可能である流体供給デバイスを提供することである。
【課題を解決するための手段】
【００２３】
本発明は、流体製品を供給するための供給デバイスであって、垂直方向に配向された主軸を有する剛性の円筒状の本体と、主として水平方向に配向され本体内部において垂直方向に沿って摺動的に可動である剛性の下方ピストンと、本体の上方端部を塞ぐ上方サンプリング壁部とを備え、
本体、下方ピストン、および上方壁部は、供給されることになる製品により充填されるための体積を画定し、
前記上方壁部は、前記体積が外部に連通され得るように開かれ得るスリットストッパを備える、供給デバイスにおいて、
前記上方壁部は、弾性的に変形可能であり、圧力が上方壁部に対して手動により印加された場合に前記体積の内方に変形されることにより、体積内部の圧力を上昇させスリットストッパを開かせることが可能であることを特徴とする、供給デバイスを提供する。
【００２４】
かかる上方壁部を有する供給デバイスを提供することにより、ユーザは、上方壁部を直接圧迫することによって、供給されることになるある量の製品を出力することが可能となる。次いで、ユーザは、この出力された量の製品をサンプリングするために、上方壁部の外方表面を拭き取るだけでよい。
【００２５】
好ましくは、供給デバイスは、圧力が上方壁部に対して印加された場合に、ピストンが上方壁部から離れるように移動するのを防止するための手段を備える。
【００２６】
好ましくは、ピストンは、本体の内方円筒状壁部とピストンの壁部との間において径方向に圧縮されるOリングを支え、ピストンの前記壁部は、上方壁部中に開口した円錐形状セグメントを備え、ピストンが上方壁部から離れるように移動するように駆動された場合にOリングが円錐形状セグメントに圧接する、。
【００２７】
好ましくは、供給デバイスは、上方壁部までピストンを移動的に駆動するための手段を備える。
【００２８】
好ましくは、駆動手段は、ピストンと本体の下方端部に装着された底部プレートとの間において垂直方向に圧縮されるばねを備える。
【００２９】
また、本発明は、流体製品を供給するための供給デバイスであって、垂直方向に配向された主軸を有する剛性の円筒状の本体と、主として水平方向に配向され本体内部において垂直方向に沿って摺動的に可動である剛性のピストンと、本体の上方端部を塞ぐ上方サンプリング壁部とを備え、
本体、ピストン、および上方壁部は、供給されることになる製品により充填されるための体積を画定し、
前記上方壁部は、前記体積が外部に連通され得るように開かれ得るスリットストッパを備え、
前記上方壁部は、弾性的に変形可能であり、圧力が上方壁部に対して手動により印加された場合に前記体積の内方に変形されることにより、体積内部の圧力を上昇させスリットストッパを開かせることが可能である、供給デバイスにおいて、
圧力が上方壁部に対して印加された場合に、ピストンが上方壁部から離れるように移動するのを防止するために、ピストンと本体の下方端部に装着された底部プレートとの間において垂直方向に圧縮されるばねを備えることを特徴とする、供給デバイスに関する。
【００３０】
好ましくは、底部プレートは、本体、ピストン、および底部プレートにより画定された体積を外部に連通させるベントを備える。
【００３１】
好ましくは、ピストンは、上方壁部の下方面に面している上方面を備え、ピストンの上方面の形状が、上方壁部の下方面の形状と相補的である。
【００３２】
好ましくは、上方壁部は、上方膨出した凸状ドーム形状のものである。
【００３３】
好ましくは、供給デバイスは、上方壁部を覆うための取外し可能な蓋であって、本体の上方端部に取外し可能に取り付けられる取外し可能な蓋を備える。
【００３４】
好ましくは、蓋の形状が、上方壁部の形状と相補的であり、蓋は、蓋が本体の上方端部に取り付けられた場合に上方壁部の少なくとも一部に接触する殺菌性材料の層を備える。
【００３５】
好ましくは、本体の上方端部は、上方壁部と相補的な部分を受ける外縁溝を備える。
【００３６】
添付の図面を参照とすることにより理解される以下の詳細な説明を読むことによって、本発明のさらなる特徴および利点が明らかになろう。
【図面の簡単な説明】
【００３７】
【図１】主要正中垂直面に沿った、本発明に従って作製された流体製品を供給するための供給デバイスの概略断面図である。
【図２】本発明の代替的な実施形態を示す、図1と同様の図である。
【図３】供給デバイスが供給されることになる流体製品で充填され、保護蓋を備えた状態で示された、本発明の別の代替的な実施形態を示す、図1と同様の図である。
【図４】ピストン戻り防止手段の一実施形態を示す、供給デバイスの拡大縮尺における詳細図である。
【発明を実施するための形態】
【００３８】
流体製品を供給するための供給デバイス10が、図1に示される。
【００３９】
非限定的な例によれば、この製品は、クリーム、ペースト、またはゲルからなり、化粧品または食品において使用するためのものである。
【００４０】
供給デバイス10は、垂直主軸Aを有する円筒形状または管形状の剛性本体12を備える。非限定的な例によれば、水平面に沿った本体12の断面は、主軸Aを中心とする円形であり、すなわち本体は、円筒回転要素である。本発明は、回転体形状の本体12に限定されず、例えば正方形、矩形、または楕円形の断面管などのような任意の管形状を有する本発明が考えられる点が理解されよう。
【００４１】
また、供給デバイス10は、供給デバイス10の垂直主軸Aに沿って本体12に対して摺動可能に取り付けられるピストンを形成する水平下方壁部14を備える。
【００４２】
本体12に対するピストン14の摺動的案内は、本体12の内方円筒状壁部18にピストン14の外縁壁部16を協働させることにより実施される。これを目的として、ピストン14の外縁壁部16は、供給デバイス10の主軸を中心とした円筒状または管状であり、本体12の内方円筒状壁部18と同一の形状を有する。
【００４３】
本体12に対してピストン14を摺動可能にするために、両対面壁部16、18間に隙間が存在する。
【００４４】
封止手段が、ピストン14の外縁壁部16と本体12の内方円筒状壁部18との間に配置される。この場合に、封止手段は、1つまたは複数のOリング20からなり、これらのOリング20のそれぞれが、ピストン14の外縁壁部16内に形成された外縁スロート22内に受けられ、各Oリング20は、ピストン14の外縁壁部16と本体12の内方円筒状壁部18との間において主軸Aに対して径方向に圧縮される。
【００４５】
また、供給デバイス10は、本体12の上方端部12aを閉じる上方壁部24を備える。
【００４６】
したがって、本体12、ピストン14、および上方壁部24により形成される全体は、供給されることになる製品が中に保管される閉鎖体積26を画定する。
【００４７】
上方壁部24は、サンプリングされるように製品を外方に出力することが可能となるように開かれ得るスリットストッパ28を備え、このスリットストッパ28は、通常は、閉鎖体積26が外部から隔離された状態にスリットストッパ28によって維持される気密封止位置にある。
【００４８】
スリットストッパ28の例示的な一実施形態は、文献FR-1.359.844に記載されている。
【００４９】
スリットストッパ28は、閉鎖体積26内における供給されることになる製品の圧力が所定圧力よりも高い場合に開かれ得る。この圧力が、この所定圧力よりも低い場合には、プラグ28は、閉構成に留まる。
【００５０】
さらに、スリットストッパ28が開かれる場合には、閉鎖体積内の圧力は、さらに外部圧力よりも高く、これにより、閉鎖体積26内に存在するある量の製品が出力され、それによりこの量の製品が上方壁部24の外部表面30上に置かれる。
【００５１】
閉鎖体積26内における製品の圧力が低下すると、スリットストッパ28は、弾性戻りにより再び閉じられる。
【００５２】
好ましくは、スリットストッパ28は、相互に面する2つの可動面を備え、これらの可動面が、スリットを形成し、離れるように移動されることによってスリットストッパ28を開くことが、またはより近づくように移動することによって相互に接触してスリットストッパを閉じることが可能となる。したがって、これらの可動面が相互により近くに移動すると、外部からの外部化合物が閉鎖体積26内に進入するのを防止する製品流が、これらの可動面によって引き起こされる。
【００５３】
次いで、ユーザは、例えば1つの指などにより上方壁部24のこの外部表面30を拭き取って、上方壁部24の外部表面30上に載置された量の製品をサンプリングする。
【００５４】
上方壁部24は、弾性変形可能材料から作製される。したがって、ユーザが上方壁部24に対して圧力を印加すると、上方壁部24は、変形され、この印加された圧力を閉鎖体積26内に存在する流体へと伝達する。それにより、前述したように、閉鎖体積26内の圧力は、製品の出力が実現されるまで、ユーザによって印加された圧力に応じて上昇する。
【００５５】
ユーザが上方壁部24に対する動作を終了すると、この上方壁部24は初期形状へと自動的に戻り、それにより閉鎖体積26内の圧力が低下し、その結果としてスリットストッパ28が閉じられる。
【００５６】
幾分かの量の製品がサンプリングされたことにより、閉鎖体積26内に存在する製品量は減少している。結果として、閉鎖体積26内の製品体積もまた縮小している。
【００５７】
閉鎖体積26内の製品体積のこの変動を相殺するために、ピストン14が、製品の体積変動に対応した距離だけ本体12に対して、ここでは上方である上方壁部24に向かって摺動する。
【００５８】
また、供給デバイス10は、圧力が上方壁部24に対して印加された場合に、ピストン14の下方摺動となる、ピストン14が上方壁部24から離れるように移動するのを防止するための手段を備える。
【００５９】
図1〜図3に示す実施形態によれば、供給デバイス10は、ピストン14の下方面14iに対して圧接し、上方壁部24へと配向された力をピストン14に対して印加するばね32を備える。
【００６０】
したがって、ばね32は、閉鎖体積26内に存在する製品の初期圧力を発生させる。ばねにより発生するこの圧力は、スリットストッパ28を開口させる圧力よりも低い。
【００６１】
この場合に、ばね32は、ピストン14と、本体12の下方端部12iを閉じさせる底部下方プレート34との間で垂直方向に圧迫される螺旋ばねからなる。この底部プレート34は、さらに供給デバイス10用の基部を形成し、供給デバイス10は、この基部により支持体の上に載置されることが可能となる。
【００６２】
ピストン14および底部プレート34はそれぞれ、ばね32の一方の端部が中に受けられる円筒状バレル36、38を備える。これらのバレル36、38により、ばね32は、垂直配向へと維持され、曲がりを回避するために案内され得る。
【００６３】
図4に示す別の実施形態によれば、圧力が上方壁部24に対して印加された場合にピストン14が上方壁部24から離れるように移動するのを防止するための手段が、Oリング20により形成され、このOリング20は、本体12の内方円筒状壁部18とシールを受ける外縁スロート22の底部壁部66との間に押し込まれ得る。
【００６４】
底部壁部66は、円筒状下方セグメント68および上方セグメント70を備え、上方セグメント70は、上方壁部24まで延在する下方セグメント68の延長部分であり、円錐形状からなる。上方セグメント70は、上方壁部24へと開口した円錐体の形状であり、すなわち上方セグメント70の直径は、上方壁部24のより近くへと移動するにつれて増大する。
【００６５】
下方セグメント68の直径は、Oリング20の内径よりも若干大きく、上方セグメント70の直径は、その結果としてやはりOリング20の内径よりも任意の点においてより大きい。これにより、Oリング20は、本体12の内方円筒状壁部18と底部壁部66との間において径方向に圧縮され得る。
【００６６】
Oリング20が、下方セグメント68においてスロート22内に位置する場合に、Oリング20の径方向圧縮は、実質的に一定である。
【００６７】
さらに、上方セグメント70が上方壁部24のより近くに移動するにつれて上方セグメント70の直径が増大することにより、Oリング20の径方向圧縮は、スロート22内のOリング20の位置が上方セグメント70に位置することによって、および上方壁部24のより近くに移動するにつれて高まる。
【００６８】
ピストン14が上方壁部24まで移動される傾向にある場合には、Oリング20の径方向圧縮の結果として生じるOリング20と本体12の内方円筒状壁部18との間の摩擦ひずみによって、下方セグメント68にOリング20が保持される。
【００６９】
この場合には、Oリング20の径方向圧縮により、ピストン14が上方壁部24へと移動するのを防止しない数値の摩擦ひずみが生じる。
【００７０】
ピストン14が、底部プレート34へと移動される、すなわち上方壁部24から離れるように移動する傾向にある場合には、Oリング20の径方向圧縮の結果として生じるOリング20と本体12の内方円筒状壁部18との間の摩擦ひずみによって、図4で破線により示されるように上方セグメント70にOリング20が保持される。これは、特に圧力が上方壁部24に対してかけられる場合に該当する。
【００７１】
この段階にて、Oリング20の径方向圧縮は、Oリング20が上方セグメント70の上方端部のより近くに移動することにより上昇する摩擦ひずみを生じさせる。
【００７２】
このとき、これらの摩擦ひずみは、ピストン14が上方壁部24から離れるように移動するのを防止するのに十分な高さになる。
【００７３】
したがって、ピストン14は、底部プレート34に対して摺動可能に阻止される。
【００７４】
上方壁部24に対する圧力が解放されると、ピストン14は、上述のように上方壁部24まで上昇する。Oリング20は、底部壁部66の下方セグメント68に再位置決めされる。それにより、摩擦ひずみは、低下し、上方壁部24へのピストン14の移動に逆らわない。
【００７５】
したがって、ピストン14は、上方壁部24がその初期形状に戻る場合には吸引効果によって、またはばね32の作用によってのいずれかにより、上方壁部24まで移動され得る。
【００７６】
本発明は、これらの手段に限定されず、供給デバイスは、ピストン14が下方に移動されて上方壁部24から離れるように移動するのを防止し、ピストン14が上方壁部24まですなわち本体12に対して上方に摺動するのを可能にする戻り防止手段をさらに備えることが可能である点が理解されよう。これらの戻り防止手段は、直前に上述した駆動手段とさらに組み合わされることが可能である。
【００７７】
また、底部プレート34は、本体12、ピストン14、および底部プレート34によって画定された体積42を周囲空気に連通させることにより、ピストン14の上方移動の結果として生じピストン14のこの移動を妨げることになるこの体積42内における減圧を回避させるためのベント40を備える。
【００７８】
上方壁部24の形状は、ユーザによる製品のサンプリングを容易化するように規定される。この場合に、上方壁部24は、上方膨出した半球形ドーム形状のものである。本発明はこの半球形形状に限定されず、上方壁部24は平坦状であるまたは上方膨出した凸形状を有することが可能である点が理解されよう。
【００７９】
上方壁部24を作製する材料は、好ましくはゴム、エラストマー、またはシリコーンから選択される材料である。
【００８０】
上方壁部24の厚さは、上方壁部24を変形させスリットストッパ28を開口させるためにユーザが上方面30に対して印加しなければならない力に応じて規定される。
【００８１】
上方壁部24は、上方壁部24および本体12が共に適切に装着され相互に対して封着されるように本体12上へと成形することによって、単体ピースとしてさらに作製される。
【００８２】
これを目的として、本体12の上方端部12sは、上方壁部24と相補的な部分46を中に受ける外縁溝44を備える。
【００８３】
図1および図2に示す実施形態によれば、本体12の上方端部12sは、この溝44の形成を可能にする余剰厚みを備える。
【００８４】
スリットストッパ28の実現は、例えば成形作業後に上方壁部24中に切欠部を設けることである。
【００８５】
傾斜壁部48を有するスリットは、製品圧力の作用下においてスリットストッパ28の面同士を離すように移動させることを容易にするための、切欠部の下方延在部である。
【００８６】
ピストン14は、上方壁部24の下方面50に面している上方面を備える。ピストン14の上方面の形状は、上方壁部24の下方面50の形状と相補的である。したがって、ピストン14が上方壁部24の下方面50に接触している場合には、閉鎖体積26は、実質的にゼロになる。これはすなわち、供給デバイス10の内部に製品が実質的に存在しないことを意味する。
【００８７】
前述したように、上方壁部24および結果としてその下方面50は、ドーム形状からなる。
【００８８】
そのため、ピストン14は、上方壁部24の下方面50と相補的である上方ドーム52を備える。
【００８９】
図3に示す代替的な実施形態によれば、ドーム52は、可能な限り少量の製品が供給デバイス10内に残るように、傾斜壁部を有するスリット48と相補的である先端部54を備える。
【００９０】
図1に示す例示の一実施形態によれば、ドーム52は、成形され、例えば接着によってなど任意の既知の手段によってピストンの残りの部分に装着される金属シートからなる。別の例示の実施形態によれば、ドーム52はプラスチック材料から作製される。
【００９１】
図2に示す実施形態によれば、ドーム52は、例えば上方壁部24と同一の弾性材料から作製された固体ブロックからなり、例えばここではショルダ62を介してなど任意の既知の手段によりピストン14の残りの部分に装着される。
【００９２】
図2に示す実施形態によれば、ピストン14は、その全体が、上方壁部24の下方面50に対して相補的なドーム52の形態である。
【００９３】
図3に示すように、供給デバイス10は、上方壁部24を覆うためのものである蓋56をさらに備える。蓋56は、上方壁部24の上方面30の形状と相補的なドームの形態である。したがって、蓋56は、ある量の製品を出力させ得るあらゆる望ましくない作用から上方壁部24を保護し、閉鎖体積26の閉鎖の封止を強化する。
【００９４】
蓋56は、クリッピングまたは螺着により本体12の上方端部12sに対して取外し可能に取り付けられる。これを目的として、蓋56の外縁エッジは、本体12の上方端部12sの相補的形状部60と協働するための形状部58を備える。
【００９５】
この場合に、蓋56は、例えば滅菌効果を有するイオンを放出する銅または銀などの殺菌効果または静菌効果を有する材料の層64を備える。この層64は、蓋56が本体12に取り付けられると、上方壁部24に接触し、したがって上方壁部24に対して滅菌作用を与える。
【００９６】
好ましくは、この層64の大きさは、上方壁部24全体に接触するように規定される。しかし、層64は、スリットストッパ28を中心として上方壁部24の一部のみに接触する小寸法のものであることが可能である点が理解されよう。
【００９７】
代替的な実施形態によれば、蓋56は、かかる層64を備えない。
【００９８】
この供給デバイス10内に収容された製品のサンプリングモードにより、製品は、上方壁部24に対して作用を与える手または指を用いてサンプリングされることが可能となる。
【００９９】
さらに、押し出されることになる製品量を修正することが可能となる。実際に、スリット軸に向かう圧力の位置に応じて、スリットは、多少なりとも容易に開かれることが可能となり、それにより多少なりとも大きな体積の製品が放出され得る。スリットに対して垂直な圧力の場合には、抽出量は、スリット軸に沿って印加される同一圧力の場合に比べてより少量となる。
【０１００】
さらに、単純な構造に関わらず、この供給デバイス10の外部態様における変化はなく、したがって使用の快適性は、供給が進行するにつれて低下することはない。
【符号の説明】
【０１０１】
10  供給デバイス
12  本体、剛性本体
12a  上方端部
12i  下方端部
12s  上方端部
14  ピストン、水平下方壁部
14i  下方面
16  外縁壁部
18  内方円筒状壁部
20  Oリング
22  外縁スロート
24  上方壁部、上方抽出壁部、上方サンプリング壁部
26  閉鎖体積、空間
28  スリットストッパ、プラグ、スロット付きカバー
30  外部表面、上方面
32  ばね
34  底部下方プレート、底部プレート
36  円筒状バレル
38  円筒状バレル
40  ベント
42  体積
44  溝、外縁溝
46  部分
48  傾斜壁部、スリット
50  下方面
52  上方ドーム
54  先端部
56  蓋
58  形状部
60  相補的形状部
62  ショルダ
64  層
66  底部壁部
68  円筒状下方セグメント
70  上方セグメント
【図１】
2019517442.tif 000003
【図２】
2019517442.tif 000004
【図３】
2019517442.tif 000005
【図４】
2019517442.tif 000006
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
流体製品を供給するための供給デバイス(10)であって、垂直方向に配向された主軸を有する剛性の円筒状の本体(12)と、主として水平方向に配向され前記本体(12)内部において垂直方向に沿って摺動的に可動である剛性のピストン(14)と、前記本体(12)の上方端部を塞ぐ上方サンプリング壁部(24)とを備え、
前記本体(12)、前記ピストン(14)、および前記上方サンプリング壁部(24)は、供給されることになる製品により充填されるための体積(26)を画定し、
前記上方サンプリング壁部(24)は、前記体積(26)が外部に連通され得るように開かれ得るスリットプラグ(28)を備える、供給デバイス(10)において、
前記上方サンプリング壁部(24)は、弾性的に変形可能であり、圧力が前記上方サンプリング壁部(24)に対して手動により印加された場合に前記体積(26)の内方に変形されることにより、前記体積(26)内部の前記圧力を上昇させ前記スリットプラグ(28)を開かせることが可能であり、
前記ピストン(14)は、前記本体(12)の内方円筒状壁部(18)と前記ピストン(14)の壁部(66)との間において径方向に圧縮されるOリング(20)を支え、前記ピストン(14)の前記壁部(66)は、前記上方サンプリング壁部(24)中に開口した円錐形状セグメント(70)を備え、前記ピストンが前記上方サンプリング壁部(24)から離れるように移動するように駆動された場合に前記Oリング(20)が前記円錐形状セグメント(70)に圧接することを特徴とする、供給デバイス(10)。
【請求項２】
圧力が前記上方サンプリング壁部(24)に対して印加された場合に、前記ピストン(14)が前記上方サンプリング壁部(24)から離れるように移動するのを防止するための手段(32)を備えることを特徴とする、請求項1に記載の供給デバイス(10)。
【請求項３】
前記上方サンプリング壁部(24)まで前記ピストン(14)を移動的に駆動するための駆動手段(32)を備えることを特徴とする、請求項1または2に記載の供給デバイス(10)。
【請求項４】
前記駆動手段は、前記ピストン(14)と前記本体(12)の下方端部(12i)に装着された底部プレート(34)との間において垂直方向に圧縮されるばね(32)を備えることを特徴とする、請求項3に記載の供給デバイス(10)。
【請求項５】
流体製品を供給するための供給デバイス(10)であって、垂直方向に配向された主軸を有する剛性の円筒状の本体(12)と、主として水平方向に配向され前記本体(12)内部において垂直方向に沿って摺動的に可動である剛性のピストン(14)と、前記本体(12)の上方端部を塞ぐ上方サンプリング壁部(24)とを備え、
前記本体(12)、前記ピストン(14)、および前記上方サンプリング壁部(24)は、供給されることになる製品により充填されるための体積(26)を画定し、
前記上方サンプリング壁部(24)は、前記体積(26)が外部に連通され得るように開かれ得るスリットプラグ(28)を備え、
前記上方サンプリング壁部(24)は、弾性的に変形可能であり、圧力が前記上方サンプリング壁部(24)に対して手動により印加された場合に前記体積(26)の内方に変形されることにより、前記体積(26)内部の前記圧力を上昇させ前記スリットプラグ(28)を開かせることが可能である、供給デバイス(10)において、
圧力が前記上方サンプリング壁部(24)に対して印加された場合に、前記ピストン(14)が前記上方サンプリング壁部(24)から離れるように移動するのを防止するために、前記ピストン(14)と前記本体(12)の下方端部(12i)に装着された底部プレート(34)との間において垂直方向に圧縮されるばね(32)を備えることを特徴とする、供給デバイス(10)。
【請求項６】
前記底部プレート(34)は、前記本体(12)、前記ピストン(14)、および前記底部プレート(34)により画定された体積(42)を外部に連通させるベント(40)を備えることを特徴とする、請求項4または5に記載の供給デバイス(10)。
【請求項７】
前記ピストン(14)は、前記上方サンプリング壁部(24)の下方面(50)に面している上方面を備え、前記ピストン(14)の前記上方面の形状が、前記上方サンプリング壁部(24)の前記下方面(50)の形状と相補的であることとを特徴とする、請求項1から6のいずれか一項に記載の供給デバイス(10)。
【請求項８】
前記上方サンプリング壁部(24)は、上方膨出した凸状ドーム形状のものであることを特徴とする、請求項1から7のいずれか一項に記載の供給デバイス(10)。
【請求項９】
前記上方サンプリング壁部(24)を覆うための取外し可能な蓋(56)であって、前記本体(12)の上方端部(12s)に取外し可能に取り付けられる取外し可能な蓋(56)を備えることを特徴とする、請求項1から8のいずれか一項に記載の供給デバイス(10)。
【請求項１０】
前記蓋(56)の形状が、前記上方サンプリング壁部(24)の形状と相補的であり、前記蓋(56)は、前記蓋が前記本体(12)の前記上方端部(12s)に取り付けられた場合に前記上方サンプリング壁部(24)の少なくとも一部に接触する殺菌性材料の層(64)を備えることを特徴とする、請求項9に記載の供給デバイス(10)。
【請求項１１】
前記本体(12)の前記上方端部(12s)は、前記上方サンプリング壁部(24)と相補的な部分(46)を受ける外縁溝(44)を備えることを特徴とする、請求項1から10のいずれか一項に記載の供給デバイス(10)。
【国際調査報告】
2019517442.tif 000007
2019517442.tif 000008
2019517442.tif 000009
2019517442.tif 000010